(57)【特許請求の範囲】
【請求項１】
一般遊技状態中に特別条件が満たされることによって、可動部材が一般遊技状態から遊技者にとって有利な特別利益状態に変換され、この特別利益状態下で更に特別入賞スイッチに入賞すると、先の特別利益状態が次にも継続して与えられると共に、カウントスイッチに所定個数入賞すると可動部材が遊技者にとって不利な一般遊技状態に復帰するパチンコ機の変動入賞装置において、
変動入賞装置内には、
前記カウントスイッチと特別入賞スイッチとの機能を有し、前記特別利益状態中は常にカウントスイッチとしての機能が有効であり、且つ前記特別利益状態中の所定時間特別入賞スイッチとしての機能が有効になる第１検出手段と、
前記カウントスイッチと特別入賞スイッチとの機能を有し、前記特別利益状態中は常にカウントスイッチとしての機能が有効であり、且つ前記第１検出手段の特別入賞スイッチとしての機能が有効になっているときは特別入賞スイッチとしての機能が無効となり、前記第１検出手段が特別入賞スイッチとしての機能が無効なときに特別入賞スイッチとしての機能が有効になる第２検出手段と、
第２検出手段側から第１検出手段側へ球を誘導する下り傾斜する固定状の傾斜誘導面と、前記各検出手段を構成する球検出スイッチに向けて球を案内する球導入案内部と、を形成した球整列樋と、
を配設し、
前記特別入賞スイッチとしての機能を有効にする前記所定時間が次第に長くなるように有効時間を設定し、
前記第１検出手段の特別入賞スイッチとしての機能が有効なときに、球を１個検出すると第１検出手段の特別入賞スイッチとしての機能は無効となり、第２検出手段の特別入賞スイッチとしての機能が有効になるようにしたことを特徴とするパチンコ機の変動入賞装置。
【発明の詳細な説明】
【０００１】
【産業上の利用分野】
この発明は、パチンコ機の変動入賞装置に関し、特に、一般遊技状態中に特別条件が満たされることによって、可動部材が一般遊技状態から遊技者にとって有利な特別利益状態に変換され、この特別利益状態下で更に特別入賞口に入賞すると、先の特別利益状態が次にも継続して与えられると共に、カウントスイッチに所定個数入賞すると可動部材が遊技者にとって不利な一般遊技状態に復帰するパチンコ機の変動入賞装置に関するものである。
【０００２】
【従来の技術】
従来から、一般遊技状態中に特別条件が満たされることによって、可動部材が一般遊技状態から遊技者にとって有利な特別利益状態に変換され、この特別利益状態下で更に特別入賞口に入賞すると、先の特別利益状態が次にも継続して与えられると共に、カウントスイッチに所定個数入賞すると可動部材が遊技者にとって不利な一般遊技状態に復帰する種類のパチンコ機の変動入賞装置は、数多く提案されている。
【０００３】
【発明が解決しようとする課題】
そして、従来、この種の変動入賞装置においては、特別条件を創成するための特別入賞口に球が入り易いか、入り難いかによって、獲得する賞球に大幅な差が生じる。この差は、遊技者の技術の巧拙によるものばかりではなく釘調整にも起因している。即ち、従来の変動入賞装置は、釘調整が難しい状況にあった。
そこで、特別入賞口の入賞率を釘調整によらないで制御可能な変動入賞装置が、例えば実開平６−４８６号公報によって提案された。この変動入賞装置は、大入賞口内に揺動自在な球受部材を設け、該球受部材の傾斜方向によって特別入賞口の入賞確率を制御するようにしたものである。また、特開平５−２２０２６１号公報によって提案された変動入賞装置は、球を一般入賞口と特別入賞口とに振り分けるための入賞球振分機構を回転体によって構成したものである。
しかしながら、特別入賞口の入賞確率を調整可能なようにした従来の変動入賞装置は、機械的に特別入賞口の入賞確率を調整しているので、ばらつきが生じて正確な調整ができていないのが現状である。
本発明は上記に鑑み提案されたもので、釘調整が容易であると共に、特別入賞口の入賞確率を均一に設定し、公平な遊技が可能なパチンコ機の変動入賞装置を提供することを目的とする。
【０００４】
【課題を解決するための手段】
上記目的を達成するため本発明は、一般遊技状態中に特別条件が満たされることによって、可動部材が一般遊技状態から遊技者にとって有利な特別利益状態に変換され、この特別利益状態下で更に特別入賞スイッチに入賞すると、先の特別利益状態が次にも継続して与えられると共に、カウントスイッチに所定個数入賞すると可動部材が遊技者にとって不利な一般遊技状態に復帰するパチンコ機の変動入賞装置において、変動入賞装置内には、前記カウントスイッチと特別入賞スイッチとの機能を有し、前記特別利益状態中は常にカウントスイッチとしての機能が有効であり、且つ前記特別利益状態中の所定時間特別入賞スイッチとしての機能が有効になる第１検出手段と、前記カウントスイッチと特別入賞スイッチとの機能を有し、前記特別利益状態中は常にカウントスイッチとしての機能が有効であり、且つ前記第１検出手段の特別入賞スイッチとしての機能が有効になっているときは特別入賞スイッチとしての機能が無効となり、前記第１検出手段が特別入賞スイッチとしての機能が無効なときに特別入賞スイッチとしての機能が有効になる第２検出手段と、第２検出手段側から第１検出手段側へ球を誘導する下り傾斜する固定状の傾斜誘導面と、前記各検出手段を構成する球検出スイッチに向けて球を案内する球導入案内部と、を形成した球整列樋と、を配設し、前記特別入賞スイッチとしての機能を有効にする前記所定時間が次第に長くなるように有効時間を設定し、前記第１検出手段の特別入賞スイッチとしての機能が有効なときに、球を１個検出すると第１検出手段の特別入賞スイッチとしての機能は無効となり、第２検出手段の特別入賞スイッチとしての機能が有効になるようにしたものである。
【０００５】
【作用】
傾斜誘導手段によって、初期段階において特別入賞スイッチに設定されている第１の球検出スイッチに向けて球を誘導することができ、この第１の球検出スイッチがオンすると、当該第１の球検出スイッチは特別入賞スイッチとしての機能を失い、カウントスイッチとして機能して入賞球数をカウントする。一方、上記第１の球検出スイッチが特別入賞スイッチとしての機能を失うと、第２の球検出スイッチが特別入賞スイッチとして機能するようになる。
【０００６】
【実施例】
以下、本発明を図示の一実施例について説明する。図１は、本発明に係る変動入賞装置１を配設した遊技盤２の正面図である。
【０００７】
上記遊技盤２の表面にはガイドレール３で囲まれる遊技部４を形成し、この遊技部４のほゞ中央に可変表示装置５を配設すると共に、下方に本発明に係る変動入賞装置１を配設し、適所には、一般入賞具６，７や風車８、或は表示灯９が配設してある。また、遊技部４には適宜障害釘１０が設けてあり、遊技部４の最下位置にはアウト口１１が開設してある。
【０００８】
本発明に係る変動入賞装置１は、図２ないし図１０に示すように、遊技盤２に取り付けるためのベース板２０と、このベース板２０の前後に止着する前面枠板３０及び後面枠板４０を備えている。また、上記前面枠板３０には開口部３１を開設し、該開口部３１に駆動源を有した開閉自在な開閉扉５０を臨ませて大入賞口６０を形成している。この開閉扉５０は当該変動入賞装置１における可動部材となる。
【０００９】
ベース板２０は、上記したように遊技盤２に取り付けるための縁部２１を有し、この縁部２１の内側は開口になっている。この開口の周囲には、後向きに枠部２２が延出している。そして、上記縁部２１の適所に設けた取付ボス２３に、前面枠板３０及び後面枠板４０をビス２４で止着するように構成してある。
【００１０】
前面枠板３０は、上記ベース板２０の開口を塞ぐように止着される部材であって、中央部に横長な開口部３１を有し、この開口部３１には前記したように、開閉扉５０が回動自在に臨む。また、開口部３１の左右には、始動スイッチ７１を臨ませた始動口７０が形成してある。即ち、ポケット枠状の球受入枠７２を前面枠板３０に延設すると共に、上記球受入枠７２の上部に、始動スイッチ７１を装着して始動口７０を構成する。尚、この始動スイッチ７１は、球の通過を検出できれば、接点式スイッチ、近接型スイッチ、或は光センサ等、どのような構成であってよい。
【００１１】
可動部材としての開閉扉５０は、下縁側に左右に突出する回転軸５１を備え、この回転軸５１を前面枠板３０に設けた横溝状の軸受部３３に挿入すると共に、後面枠板４０に設けた軸押え部４１によって回転自在に装着してある。
【００１２】
また、この開閉扉５０には駆動機構を設ける。この駆動機構は、図示の実施例によれば、電磁石５２とこの電磁石５２によって吸引される駆動レバー５３等によって構成してある。即ち、磁性体によって形成した吸着板５４を揺動自在に軸着すると共に、該吸着板５４に駆動レバー５３を連結してなる。
【００１３】
駆動レバー５３の先端には二股部５５を設け、この二股部５５に開閉扉５０の側板５６に設けた駆動ピン５７を遊嵌させる。また、上記側板５６に対応する位置に、当該側板５６の端縁が当接するストッパ３２が前面枠板３０から延設してある。
【００１４】
そこで、上記電磁石５２を励磁すると、吸着板５４が吸引されて駆動レバー５３が回動するので、開閉扉５０が開放する。尚、この開閉扉５０は、側板５６の端縁が上記ストッパ３２に下側から当接するので、所定の角度以上開かない。また、上記した電磁石５２は、取付板５８を介して後述するスイッチ取付及び球案内樋枠６１に対して取り付けてある。
【００１５】
上記した実施例では、開閉扉５０の駆動源として電磁石５２を適用したが、この駆動源は、プランジャを備えるソレノイド等を利用することもできる。
【００１６】
一方、開閉扉５０の後方には、スイッチ取付及び球案内樋枠６１を設けて大入賞口６０を形成する。即ち、開閉扉５０を開放したときに取り込む球を、後述する検出手段８０を構成する球検出スイッチ８１で検出した後、入賞球として機裏へ誘導するように構成するのである。
【００１７】
そして、本発明は、この大入賞口６０内に検出手段８０として第１検出手段８０ａ及び第２検出手段８０ｂを設けると共に、第２検出手段８０ｂ側から第１検出手段８０ａ側へ球を誘導する固定状の傾斜誘導手段６２を設ける。このため、上記スイッチ取付及び球案内樋枠６１は、左右にスイッチ取付部６３を備えると共に、中央部分に球整列樋６４を備えている。
【００１８】
上記傾斜誘導手段６２としての球整列樋６４は、図１０に示すように、左右に球検出スイッチ８１の前端部を係止するための係止口６５を有すると共に、該係止口６５の上部には上記球検出スイッチ８１に向けて球を案内する球導入案内部６６が形成してある。また、上記左右の球導入案内部６６の間には、一方の球導入案内部６６に向けて下り傾斜する傾斜誘導面６７が形成してある。即ち、第２検出手段８０ｂを構成するように向って左側の係止口６５ｂに装着した第２球検出スイッチ８１ｂ側から、第１検出手段８０ａを構成するように向って右側の係止口６５ａに装着した第１球検出スイッチ８１ａ側へ向って下り傾斜する傾斜誘導面６７が形成してある。
【００１９】
従って、開閉扉５０によって取り込まれた球は、上記傾斜誘導面６７によって傾斜下流側に位置する第１の球検出スイッチ８１ａへ誘導される。尚、傾斜誘導面６７の上端よりも外側に位置する傾斜とは反対側の球導入案内部６６に載った球は、そのまま第２の球検出スイッチ８１ｂへ誘導される。
【００２０】
そして、上記大入賞口６０の後壁を構成しているスイッチ取付及び球案内樋枠６１の後方には、どちら側の球検出スイッチ８１が特別入賞口として有効状態になっているかを示す有効スイッチ表示手段９０を設ける。この有効スイッチ表示手段９０は、図示の実施例によれば、各球検出スイッチ８１に対応するようにコネクタランプ基板９１に配設したランプ９２によって構成してある。
【００２１】
また、上記コネクタランプ基板９１には、諸電気部材の配線を中継するコネクタ９３が設けてある。尚、このコネクタランプ基板９１は、基板取付板４２に取り付けるようになっており、この基板取付板４２は、取付支柱４３を介して前記スイッチ取付及び球案内樋枠６１に止着してある。
【００２２】
更に、前記開閉扉５０の下方には、継続回数兼１０カウント表示灯１２が設けてある。この継続回数兼１０カウント表示灯１２は、例えば２桁の７セグメント発光ダイオード、所謂デジタル表示器によって構成してあり、現在実行中のサイクル数を示すと共に、大入賞口６０へ入球した個数を表示するためのものである。
【００２３】
次に、上記のような構成の変動入賞装置１による遊技を図１２のタイムチャートに基づいて簡単に説明する。先ず、遊技者の発射した打球が、変動入賞装置１の前面枠板３０の左右に形成した始動口７０または遊技部４のほゞ中央に配設した始動口７０′に入賞すると、可変表示装置５が図柄の変動表示を開始し、所定時間経過後、或は遊技者が停止ボタンを操作して図柄の変動表示を停止したときに表示する図柄が予め定めた態様のときに、大当りとなって遊技者に有利な特別遊技状態になる。
【００２４】
特別遊技状態では、開閉扉５０を例えば２０秒間または打球が大入賞口６０へ１０個入球することを１サイクルとし、この１サイクル中に特別条件を満たすと、即ち特別入賞口を形成する特別入賞スイッチがオンすると、最大で１６回までサイクルの更新が可能になる。
【００２５】
特別遊技状態になると、電磁石５２が励磁されて開閉扉５０が開放する。また、第１有効スイッチ表示ランプ９２ａが点灯し、第１の球検出スイッチ８１ａが特別入賞スイッチとして有効になっていることを示す。
【００２６】
そして、遊技者が発射した打球が前向きに傾動した開閉扉５０に載ると、この開閉扉５０に導かれて大入賞口６０内に取り込まれる。取り込まれた球は、球整列樋６４に設けた傾斜に従って転動し、下流側の球誘導案内部６６ａから第１の球検出スイッチ８１ａに入球し、当該第１の球検出スイッチ８１ａをオンさせる。すると、今まで特別入賞スイッチとして機能していた第１の球検出スイッチ８１ａは、カウントスイッチとして機能するようになり、特別入賞スイッチの機能は第２の球検出スイッチ８１ｂに移動する。また、第１有効スイッチ表示ランプ９２ａが消灯すると共に、第２有効スイッチ表示ランプ９２ｂが点灯して、特別入賞スイッチが第２の球検出スイッチ８１ｂに移動したことを表示する。なお、特別入賞スイッチはカウントスイッチの機能を兼ねることになる。
【００２７】
以後、遊技者は打球の発射を続けると、打球は大入賞口６０の第１の球検出スイッチ８１ａに順次入球する。そして、この第１の球検出スイッチ８１ａはカウントスイッチとして機能しているので、打球が１０個入球すると開閉扉５０を閉止する。尚、この開閉扉５０は２０秒経過しても閉止する。しかし、既に特別入賞スイッチに１個入球しているので、次のサイクルに移行することができる。
【００２８】
次のサイクルが開始すると、特別入賞スイッチとしての機能が第１の球検出スイッチ８１ａに戻ると共に、この特別入賞スイッチの機能が第１の球検出スイッチ８１ａに移動していることを第１有効スイッチ表示ランプ９２ａの点灯によって表示する。尚、第２有効スイッチ表示ランプ９２ｂは、第２の球検出スイッチ８１ｂにおける特別入賞スイッチの機能が無効になると消灯し、第１有効スイッチ表示ランプ９２ａが点灯する。
【００２９】
また、現在何サイクル目を実行中か、このサイクル中に大入賞口６０に何個入賞したかを、継続回数兼１０カウント表示灯１２によって遊技者に可視表示する。尚、あと何サイクル残っているか、或はあと何個入賞するとサイクルが変わるかを、減算表示するようにしてもよい。
【００３０】
そして、上記のようにして順次サイクルの更新を行なって特別遊技状態を許容された回数継続することができる。このとき、遊技者は、特別入賞スイッチを意識的に狙わなくても、最初に入球した球が傾斜誘導手段６２によって特別入賞スイッチに設定されている第１の球検出スイッチ８１ａへ入賞することになるので、サイクルの更新が確実に可能になる。従って、遊技技術の巧拙に拘わらず一定数の賞球獲得が可能になる。また、面倒な釘調整を行なわなくても、特別入賞口へ入賞可能なので、公平な遊技が可能になると共に、出玉管理も容易になる。
【００３１】
上記した実施例では、大入賞口６０内の球整列樋６４に傾斜を設ることにより傾斜誘導手段６２を構成し、第１検出手段８０ａである第１の球検出スイッチ８１ａへ球を誘導しているが、一方の検出手段８０へ球を誘導するための傾斜誘導手段６２は、開閉扉５０の裏面側に設けてもよい。即ち、図１１に示すように、開閉扉５０の一側に厚肉部５９を形成して、受け止めた球が一方へ向けて流れるように構成するのである。尚、図示の実施例では、厚肉部５９をリブ状に形成している。
【００３２】
更に、本発明では、特別遊技状態の１サイクル中において、最初の入球があるまで特別入賞スイッチを交互に移動させることができる。即ち、図１３のタイムチャートに示すように、大入賞口６０が開放して、最初の１秒間は第１の球検出スイッチ８１ａを特別入賞スイッチに設定し、次の２秒間は第２の球検出スイッチ８１ｂを特別入賞スイッチに設定し、次の１秒間は第１の球検出スイッチ８１ａ、次の３秒間は第２の球検出スイッチ８１ｂ、というように、交互にスイッチを移動させる。尚、第２の球検出スイッチ８１ｂの方が第１の球検出スイッチ８１ａよりも時間が長いのは、球整列樋６４によって、第１の球検出スイッチ８１ａの方が入賞し易くなっているので、ほゞ同じ入賞率にするためである。また、次第に有効時間を長く設定しているのは、特別入賞口即ち球検出スイッチ８１の入賞率を徐々に高めることにより特別入賞口の入賞を次第に容易にするためである。即ち、特別遊技状態の継続を容易にするためである。
【００３３】
上記した何れの実施例においても、大入賞口６０へ流入した球が誘導される第１の球検出スイッチ８１ａは、初期段階では特別入賞スイッチに設定されているので、特別遊技状態が開始すると、特別入賞口へ確実に入賞させることができ、特別遊技状態の継続が容易に可能である。従って、釘調整が容易になると共に公平な遊技が可能であり、出玉管理も容易になる。
【００３４】
以上本発明を図面の実施例について説明したが、本発明は上記した実施例に限定されるものではなく、特許請求の範囲に記載した構成を変更しない限り適宜に実施できる。例えば、図示の実施例においては、可動部材を開閉扉によって構成しているが、可動翼片等、他の構造であってもよい。また、第１有効スイッチ表示ランプ、第２有効スイッチ表示ランプの代りに音声を異らせるようにしてもよい。
【００３５】
【発明の効果】
以上要するに本発明は、一般遊技状態中に特別条件が満たされることによって、可動部材が一般遊技状態から遊技者にとって有利な特別利益状態に変換され、この特別利益状態下で更に特別入賞スイッチに入賞すると、先の特別利益状態が次にも継続して与えられると共に、カウントスイッチに所定個数入賞すると可動部材が遊技者にとって不利な一般遊技状態に復帰するパチンコ機の変動入賞装置において、変動入賞装置内には、前記カウントスイッチと特別入賞スイッチとの機能を有し、前記特別利益状態中は常にカウントスイッチとしての機能が有効であり、且つ前記特別利益状態中の所定時間特別入賞スイッチとしての機能が有効になる第１検出手段と、前記カウントスイッチと特別入賞スイッチとの機能を有し、前記特別利益状態中は常にカウントスイッチとしての機能が有効であり、且つ前記第１検出手段の特別入賞スイッチとしての機能が有効になっているときは特別入賞スイッチとしての機能が無効となり、前記第１検出手段が特別入賞スイッチとしての機能が無効なときに特別入賞スイッチとしての機能が有効になる第２検出手段と、第２検出手段側から第１検出手段側へ球を誘導する下り傾斜する固定状の傾斜誘導面と、前記各検出手段を構成する球検出スイッチに向けて球を案内する球導入案内部と、を形成した球整列樋と、を配設し、前記特別入賞スイッチとしての機能を有効にする前記所定時間が次第に長くなるように有効時間を設定し、前記第１検出手段の特別入賞スイッチとしての機能が有効なときに、球を１個検出すると第１検出手段の特別入賞スイッチとしての機能は無効となり、第２検出手段の特別入賞スイッチとしての機能が有効になるようにしたので、大入賞口へ入球した球を初期段階で特別入賞口に設定してある第１の球検出スイッチへ誘導することができ、特別入賞口への入賞が容易に可能である。従って、面倒な釘調整を行なわなくても特別入賞口への入賞が容易で特別遊技状態の継続が可能になる。また、特別入賞口の入賞確率をほゞ一定に揃えることができるので、公平な遊技が可能であると共に、出玉管理が容易になる。
【図面の簡単な説明】
【図１】本発明に係る変動入賞装置を配設した遊技盤の正面図である。
【図２】本発明に係る変動入賞装置の正面図である。
【図３】本発明に係る変動入賞装置の平面図である。
【図４】本発明に係る変動入賞装置の一部欠截背面図である。
【図５】図２のＡ−Ａ線断面図である。
【図６】図２のＢ−Ｂ線断面図である。
【図７】図２のＣ−Ｃ線断面図で、開閉扉を開放した状態を示す。
【図８】図２のＣ−Ｃ線断面図で、開閉扉を閉止した状態を示す。
【図９】図４のＤ−Ｄ線断面図である。
【図１０】球整列樋の一例を示す斜視図である。
【図１１】開閉扉の一例を示す斜視図である。
【図１２】遊技の一実施例を示すタイムチャートである。
【図１３】遊技の他の実施例を示すタイムチャートである。
【符号の説明】
１  変動入賞装置
２０  ベース板
３０  前面枠板
４０  後面枠板
５０  可動部材としての開閉扉
５２  駆動源としての電磁石
６０  大入賞口
７０  始動口
８０  検出手段
８１ａ  第１の球検出スイッチ
８１ｂ  第２の球検出スイッチ
【図１】
0003556271.tif 000002
【図２】
0003556271.tif 000003
【図３】
0003556271.tif 000004
【図４】
0003556271.tif 000005
【図５】
0003556271.tif 000006
【図６】
0003556271.tif 000007
【図７】
0003556271.tif 000008
【図８】
0003556271.tif 000009
【図９】
0003556271.tif 000010
【図１０】
0003556271.tif 000011
【図１１】
0003556271.tif 000012
【図１２】
0003556271.tif 000013
【図１３】
0003556271.tif 000014